【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  パンチガイドに摺動して往復駆動されるパンチと該パンチと協同して軟質金属シート材に穿孔するダイとを備えた往復動型穿孔用パンチユニットにおいて、前記パンチガイドとダイとを一体のブロックで形成させたことを特徴とする軟質金属シート材の穿孔用パンチユニット。
【請求項２】  前記パンチガイドは、パンチのダイ側をガイドする下ガイドと、駆動側をガイドする上ガイドとに分割され、前記下ガイドにガイド孔に直交して貫通した貫通窓が設けられ、該貫通窓の上側が下ガイドを構成し、下側がパンチに凝着した凝着物をクリーニングするゲートを構成することを特徴とする請求項１に記載の軟質金属シート材の穿孔用パンチユニット。
【請求項３】  被穿孔シート材の厚さが０．３ｍｍ以下で、パンチとダイのクリアランスを被穿孔シート材の厚さの４〜１５％にしたことを特徴とする請求項１又は２に記載の軟質金属シート材の穿孔用パンチユニット。
【請求項４】  穿孔時に被穿孔シート材を押さえて拘束するシート押え手段を備えたことを特徴とする請求項１から３のいずれかに記載の軟質金属シート材の穿孔用パンチユニット。
【請求項５】  パンチ先端に穿孔穴の品位を向上させるＲ形状の切刃部を設けたことを特徴とする請求項１から４のいずれかに記載の軟質金属シート材の穿孔用パンチユニット。
【請求項６】  前記軟質金属シート材はアルミニウム又はアルミニウム合金であることを特徴とする請求項１から５のいずれかに記載の軟質金属シート材の穿孔用パンチユニット。
【請求項７】  前記軟質金属シート材は、写真製版用シート材であることを特徴とする請求項６に記載の軟質金属シート材の穿孔用パンチユニット。
【手続補正２】
【補正対象書類名】明細書
【補正対象項目名】０００８
【補正方法】変更
【補正の内容】
【０００８】
前記パンチガイドは、パンチのダイ側をガイドする下ガイド１３ａと、駆動側をガイドする上ガイド１２とに分割され、前記下ガイド１３ａにガイド孔に直交して貫通した貫通窓１５が設けられ、該貫通窓１５の上側が下ガイド１３ａを構成し、下側がパンチに凝着した凝着物をクリーニングするゲート１３ｂを構成することが望ましい。すなわち、このように構成すると、穿孔の際にパンチが上下往復動するとき、パンチに凝着した凝着物がゲートのエッジにより削り取られて、通紙口と貫通窓から排出されるので、凝着によるパンチの摺動抵抗の増加が減少し、孔品位が向上する。このゲートはクリーニングブレードになるので厚さは薄くてもよい。
また、本発明の軟質金属シート材の穿孔用パンチユニットは、被穿孔シート材の厚さが０．３ｍｍ以下で、パンチとダイのクリアランスを被穿孔シート材の厚さの４〜１５％にしたことを特徴とするものである。
【手続補正３】
【補正対象書類名】明細書
【補正対象項目名】０００９
【補正方法】変更
【補正の内容】
【０００９】
従来の紙などに穿孔するパンチユニットは、パンチとダイのクリアランスが５〜１０μｍに設定されていた。この様なパンチユニットで０．３ｍｍ以下のアルミニウムなどの軟質金属の薄板を穿孔すると、穿孔穴に２次剪断が発生して、パンチに軟質金属が凝着しやすくなることから、綺麗な孔が穿孔できず、かつパンチとダイの寿命が著しく低下する。
【手続補正４】
【補正対象書類名】明細書
【補正対象項目名】００１０
【補正方法】変更
【補正の内容】
【００１０】
そこで本発明は、厚さが０．３ｍｍ以下の被穿孔シート材においてパンチとダイのクリアランスを被穿孔シート材の厚さの４〜１５％にすることにより、シート材を剪断により穿孔するようにして、穿孔穴の品位を向上させたものである。クリアランスをシート材の厚さの４〜１５％にするのは、４％以下ではパンチとダイがかじるからであり、１５％を超えると孔にバリを生ずるからである。このクリアランスは好ましくは６〜１２％（例えば０．３ｍｍ厚さのアルミニウムシートの場合３０±５μｍ）である。
【手続補正５】
【補正対象書類名】明細書
【補正対象項目名】００１２
【補正方法】変更
【補正の内容】
【００１２】
軟質金属シート材に穿孔すると、パンチが穿孔して被穿孔シート材から引き抜かれるときに、シート材が軟質であるためパンチに引っ付いて孔の周辺が傘のように突出することがある。このために安定した穿孔ができない。そこで本発明はシート材押え手段を設けて、穿孔時に被穿孔シート材を押さえて保持することにより、シート材がパンチに食い付いて引き上げられることを防止し、穿孔穴の品位を向上させるものである。
【手続補正６】
【補正対象書類名】明細書
【補正対象項目名】００１４
【補正方法】変更
【補正の内容】
【００１４】
従来のパンチ先端の形状は、穿孔負荷を小さくするために、先端切刃部には図７（ａ）の上図に示すように楔形の切刃部２ａ´が設けられていた。しかしこのような形状のパンチで穿孔すると、穿孔された孔の円周の図７（ａ）の中図に示すｆの位置に、図７（ａ）の下図に示すｇのような凹みが生じて穿孔穴の品位を害する。本発明者らはその原因が、穿孔の終期にパンチの切刃の楔の凹底ｅがシート材に局部的に当たるためにシート材に凹みを与えることにあることを見出した。そこで本発明は、図７（ａ）の上図に示すようにＲ形状の切刃部を設けた。これにより、穿孔の終期にパンチの切刃２ａがシート材に当たる際に局部的になることが少なくなり、前記の欠陥をなくすることができた。
【手続補正７】
【補正対象書類名】明細書
【補正対象項目名】００１５
【補正方法】変更
【補正の内容】
【００１５】
本発明の軟質金属シート材の穿孔用パンチユニットは、とくに軟質金属シート材としてアルミニウム又はアルミニウム合金であるときに効果が大きく、写真製版用シート材の穿孔に有効である。
【手続補正８】
【補正対象書類名】明細書
【補正対象項目名】００１７
【補正方法】変更
【補正の内容】
【００１７】
まず図１に基づいて本発明のパンチユニット本体の構成について説明する。パンチユニット１は、上パンチガイド１２及び下パンチガイド１３ａと、ダイブロック１４とが一体にされたパンチブロック１１と、モーター２２、駆動部２３などを装着されたモータブラケット２１とからなり、パンチブロック１１とモータブラケット２１とはビス２８により一体に結合されて構成されている。
【手続補正９】
【補正対象書類名】明細書
【補正対象項目名】００１９
【補正方法】変更
【補正の内容】
【００１９】
パンチブロック１１の通紙口１６の上方に、通紙面に垂直にして、上部パンチガイドのガイド孔（以下上ガイドという）１２と下部パンチガイドのガイド孔（以下下ガイドという）１３ａとが貫通して設けられ、パンチ２を摺動可能に保持するようになっている。
【手続補正１０】
【補正対象書類名】明細書
【補正対象項目名】００２３
【補正方法】変更
【補正の内容】
【００２３】
通紙口１６の下部には、ダイ３を形成するダイブロック１４が一体に成形されている。紙などを穿孔する従来のパンチユニットでは、通常パンチガイドとダイブロックを別個に製作し、これを組み立てて使用しているが、本発明はこのようにパンチガイドとダイブロックを一体にしているので、パンチとダイ孔との芯合わせの精度が高くクリアランスが正確にとれる。また、パンチブロックの剛性が高く、パンチガイドとダイ孔とがずれることがないので、穿孔穴の品位が向上する。
【手続補正１１】
【補正対象書類名】明細書
【補正対象項目名】００２６
【補正方法】変更
【補正の内容】
【００２６】
また、パンチ先端の切刃２ａは図５、図７（ｂ）に示すようにＲ形状の切欠形にされている。これにより、前述したように、穿孔終期にシート材に切刃が当たる部分の孔円周に生ずる欠陥の発生が防止できる。
【手続補正１２】
【補正対象書類名】明細書
【補正対象項目名】００２７
【補正方法】変更
【補正の内容】
【００２７】
詳細を図５に示すダイブロック１４には、上下パンチガイド１２、１３ａと同芯に孔径ｄ3 の切刃部３ａを有するダイ３が設けられている。切刃部３ａの下側にｄ4 に拡径された逃げ部３ｂが設けられている。本発明のパンチユニットでは、パンチ孔径とダイ外径のクリアランスが被穿孔シート材の板厚の４〜１５％になるようにされている。すなわち、パンチ２の切刃外径ｄ1 とダイ孔径ｄ3 との関係は被穿孔シート材の厚さをＴとすると下式の関係になるようにされている。  （ｄ3 −ｄ1 ）／２＝（Ｔ×４〜１５）／１００
このクリアランスは、望ましくは６〜１２％である。
【手続補正１３】
【補正対象書類名】明細書
【補正対象項目名】００３０
【補正方法】変更
【補正の内容】
【００３０】
本実施形態では、ダイ３の形状を前述のように２段孔にしたが、図６に示すようにランドａと逃げ角ｂを有する孔形状にしてもよい。
【手続補正１４】
【補正対象書類名】明細書
【補正対象項目名】００３９
【補正方法】変更
【補正の内容】
【００３９】
図において、押え板６は、底の押え部６ａとその両側の立上がり部と縁の支持部６ｂとを有する皿形断面をなす板材からなり、押え部６ａの中央にはパンチ２が挿通される貫通孔が設けられている。押え板６は、その支持部６ｂが揺動アーム３１の従動端に設けられた鰭部３１ｄと連結する吊り棒７により上下移動自在に吊り下げられている。押え部６ａは、下ガイド１３ｂの下面に位置するようにして保持され、その立上がり部に設けられた長孔６ｃに、パンチブロック１１の下ガイド１３の側面に植設されたピン９が挿通されて、押え板６の上下移動のガイドとなっている。揺動アーム３１の鰭部３１ｄと支持部６ｂとの間にコイルばね８が装着され、両者間を拡張するように付勢している。
【手続補正１５】
【補正対象書類名】明細書
【補正対象項目名】００４０
【補正方法】変更
【補正の内容】
【００４０】
上記構成により、穿孔動作を開始して揺動アーム３１が反時計方向に揺動し、パンチが下方に移動し始めると、コイルばね８を介して押え板６が押し下げられて被穿孔シート材を押さえる。そして、パンチが下降して穿孔するが、穿孔中はコイルばね８の付勢力により押え板はシート材を押さえている。穿孔を終えて、揺動アーム３１が時計方向に揺動を始めてパンチが上昇を開始しても、パンチがシート材から引き抜かれるまでは、なおコイルばね８の付勢力が働き、押え板６がシート材を押さえ続ける。そして、パンチが上昇してシート材から離れると、押え板６も吊り棒７により吊り上げられ揺動アーム３１の揺動に応じて上昇する。したがって、パンチの上昇の際に、パンチに食い付いたシート材はパンチから引き離されるので、穿孔穴の周辺部が引き上げられることがなく、綺麗な穿孔ができる。
【手続補正１６】
【補正対象書類名】明細書
【補正対象項目名】００４４
【補正方法】変更
【補正の内容】
【００４４】
以上述べたように、本発明の軟質金属シート材の穿孔用パンチユニットによれば、パンチガイドとダイとが一体のブロックで形成されているので、ダイブロックの剛性が高く、パンチとダイのクリアランスを精密に設定でき、かつパンチとダイの芯づれが防止できるので、高品位の穿孔ができる。
【手続補正１７】
【補正対象書類名】明細書
【補正対象項目名】００５０
【補正方法】変更
【補正の内容】
【００５０】
【発明の効果】
上述したように、本発明のシート材穿孔用パンチユニットによれば、軟質金属のシート材に高品位の穿孔ができ、かつパンチとダイの寿命が大幅に延長される。これにより、写真製版におけるアルミニウム板の穿孔などで、精度と能率の向上が図られる。
【手続補正１８】
【補正対象書類名】図面
【補正対象項目名】図１
【補正方法】変更
【補正の内容】
【図１】
2001205359.tif 000001
【手続補正１９】
【補正対象書類名】図面
【補正対象項目名】図３
【補正方法】変更
【補正の内容】
【図３】
2001205359.tif 000002
【手続補正２０】
【補正対象書類名】図面
【補正対象項目名】図４
【補正方法】変更
【補正の内容】
【図４】
2001205359.tif 000003